(57)【要約】【課題】効果的に、エンジンの自動的な停止の制限を行うエンジン制御システムを提供する。【解決手段】エンジン制御システムは、所定条件が成立した場合に、エンジンを自動的に停止させる指示を行う自動停止／再始動制御を行う制御部（ＥＣＵ）を備える。エンジンに供給する燃料の燃料性状を判定する燃料性状判定手段（濃度センサ）を備える。制御部は、自動停止／再始動制御に基づいて自動停止を行うか否かの判断を、燃料性状（アルコール濃度）に基づいて行う。【選択図】図３
2008267227.tif 000002
【特許請求の範囲】
【請求項１】
所定条件が成立した場合に、エンジンを自動的に停止及び再始動させる指示を行う自動停止／再始動制御を行う制御部と、
前記エンジンに供給する燃料の燃料性状を判定する燃料性状判定手段とを備え、
前記制御部は、前記自動停止／再始動制御に基づいて自動停止を行うか否かの判断を、前記燃料性状に基づいて行うことを特徴とするエンジン制御システム。
【請求項２】
前記燃料は、ガソリン、アルコール、及び前記ガソリンと前記アルコールとの混合燃料のいずれかであることを特徴とする請求項１に記載のエンジン制御システム。
【請求項３】
前記燃料性状判定手段は、前記燃料に含まれるアルコール濃度を検出し、
前記アルコール濃度が濃度閾値以上である場合に、前記制御部は前記判断において前記自動停止を行わないと判断することを特徴とする請求項２に記載のエンジン制御システム。
【請求項４】
前記所定条件は、前記燃料性状に応じて変更されることを特徴とする請求項１または２に記載のエンジン制御システム。
【請求項５】
前記エンジンの温度を検出する温度センサをさらに備え、
前記エンジンの温度が所定条件判別用温度閾値よりも高いことが前記所定条件の１つとされ、
前記燃料性状に応じて、前記所定条件判別用温度閾値が変更されることを特徴とする請求項４に記載のエンジン制御システム。
【請求項６】
前記エンジンの温度を検出する温度センサをさらに備え、
前記制御部は、前記判断を、前記エンジンの温度と前記燃料性状とに基づいて行うことを特徴とする請求項１に記載のエンジン制御システム。
【請求項７】
前記制御部は、前記判断を、前記判断に関する過去の結果と前記燃料性状とに基づいて行うことを特徴とする請求項１に記載のエンジン制御システム。
【請求項８】
前記エンジンを含む車両の運転状況を検出する運転状況検出手段をさらに備え、
前記制御部は、前記判断を、前記運転状況と前記燃料性状とに基づいて行うことを特徴とする請求項１に記載のエンジン制御システム。
【発明の詳細な説明】
【技術分野】
【０００１】
本発明は、エンジン制御システムに関し、特にオイル希釈状態を解消するため、エンジンの自動的な停止を制限するエンジン制御システムに関する。
【背景技術】
【０００２】
エコラン（エコノミーランニング）車、ハイブリッド車など、車両の運転状況に応じて自動的に停止及び再始動が行われるエンジンが提案されている。
【０００３】
特許文献１は、自動的に停止されたエンジンを再始動させる際の燃料性状に対する始動性の良否に基づいて、始動時のモータによるアシスト量を制御するエンジン制御システムを開示する。
【特許文献１】特開２０００−１６１１１８号公報
【発明の開示】
【発明が解決しようとする課題】
【０００４】
しかし、エンジンが暖まらない状態で頻繁に停止されるため、エンジンオイルに燃料が混じるオイル希釈の問題が生じる。また、始動性が悪い燃料性状である場合には、モータに費やすエネルギが増大するため、エンジンを停止／再始動を行うよりも、行わない方が車両全体として燃料消費が少ない場合が起こり得る。
【０００５】
したがって本発明の目的は、効果的に、エンジンの自動的な停止の制限を行うエンジン制御システムを提供することである。
【課題を解決するための手段】
【０００６】
本発明に係るエンジン制御システムは、所定条件が成立した場合に、エンジンを自動的に停止及び再始動させる指示を行う自動停止／再始動制御を行う制御部と、エンジンに供給する燃料の燃料性状を判定する燃料性状判定手段とを備え、制御部は、自動停止／再始動制御に基づいて自動停止を行うか否かの判断を、燃料性状に基づいて行う。
【０００７】
車両の運転状況に応じてエンジンの停止を自動的に行うハイブリッド車、エコラン車では、モータ駆動時や車速０の時などに、エンジンが頻繁に自動的に停止される。そのため、自動的に停止しないエンジンに比べて、エンジンが暖まりにくい状況が起こり得る。この場合、エンジンオイルに燃料が混じるオイル希釈状態を、エンジンを暖めることによりエンジンオイルに混じった燃料を蒸発させて解消させることが困難になる。この点を考慮して、燃料がオイル希釈状態になりやすい燃料性状である場合には、オイル希釈状態を解消させるために、エンジンの自動的な停止を制限し、オイル希釈状態の解消を行いやすくする。
【０００８】
また、頻繁にエンジンを停止／再始動させるよりも、停止／再始動させない方が車両全体として燃費がよくなるような、始動性の悪い燃料性状である場合には、エンジンの自動的な停止を制限することが可能になる。
【０００９】
好ましくは、燃料は、ガソリン、アルコール、及びガソリンとアルコールとの混合燃料のいずれかである。
【００１０】
さらに好ましくは、燃料性状判定手段は、燃料に含まれるアルコール濃度を検出し、アルコール濃度が濃度閾値以上である場合に、制御部は自動停止を行うか否かの判断において自動停止を行わないと判断する。
【００１１】
アルコール濃度が高い場合には、燃焼されないでエンジン内に残った燃料（特にアルコール）が、エンジンオイルと混ざりオイル希釈状態になる可能性が高い。但し、オイル希釈状態になったとしても、エンジンオイルの温度がアルコールなどの燃料が揮発する程度の高温になれば蒸発するため、オイル希釈状態は解消される。そのため、アルコール濃度が高くオイル希釈状態になる可能性が高い場合に、エンジンの自動的な停止を制限して、エンジンの運転を継続させる。これにより、エンジン（エンジンオイル）の温度を上昇させて、オイル希釈状態を解消させることが可能になる。
【００１２】
また、好ましくは、所定条件は、燃料性状に応じて変更される。
【００１３】
さらに好ましくは、エンジンの温度を検出する温度センサをさらに備え、エンジンの温度が所定条件判別用温度閾値よりも高いことが所定条件の１つとされ、燃料性状に応じて、所定条件判別用温度閾値が変更される。
【００１４】
また、好ましくは、エンジンの温度を検出する温度センサをさらに備え、制御部は、自動停止を行うか否かの判断を、エンジンの温度と燃料性状とに基づいて行う。
【００１５】
オイル希釈状態になりやすい燃料性状の場合に、エンジンの自動停止を行うか否かを判断するための温度閾値を高く設定し、エンジンの運転を継続させて、エンジンの温度を高い状態に保ち、オイル希釈状態を解消させる目的である。
【００１６】
また、好ましくは、制御部は、自動停止を行うか否かの判断を、自動停止を行うか否かの判断に関する過去の結果と燃料性状とに基づいて行う。
【００１７】
自動停止を行うか否かの判断に関する過去の結果としては、自動停止を行わないと判断した１トリップ内での回数（禁止判断回数）が挙げられる。禁止判断回数が多い場合は、エンジンが継続して運転されている時間が長く、エンジンが暖められて、蒸発によりオイル希釈状態が解消されている可能性が高いため、この場合は、自動停止を行う判断をしやすくするものである。このため、車両の駆動には使われないが、オイルの希釈状態解消のために継続して運転されることによるエンジンの燃費悪化を防ぐことが可能になる。
【００１８】
また、好ましくは、エンジンを含む車両の運転状況を検出する運転状況検出手段をさらに備え、制御部は、自動停止を行うか否かの判断を、運転状況と燃料性状とに基づいて行う。
【００１９】
これにより、車両の運転状況（回転数、車速、自動停止を行わないと判断した後の走行距離、オイル交換後の走行距離など）によって、オイル希釈状態の解消がされやすい状態にあるか否かを判断し、オイル希釈状態の解消を行う必要がない場合には、エンジンの自動停止を行う判断をしてエンジンを停止させるので、燃費悪化を抑制することが可能になる。
【発明の効果】
【００２０】
以上のように本発明によれば、効果的に、エンジンの自動的な停止の制限を行うエンジン制御システムを提供することができる。
【発明を実施するための最良の形態】
【００２１】
以下、本発明の実施形態について、図１、図２を用いて説明する。第１実施形態におけるエンジン停止制御システム１ａを含む車両１は、車両コントローラ１０、ＥＣＵ１１、エンジン１２、濃度センサ１３、モータジェネレータ１５、差動歯車装置１６、バッテリ１７、及びインバータ１８を備え、エンジン１２による車両駆動と、モータジェネレータ１５におけるモータによる車両駆動が可能なハイブリッド車である。
【００２２】
モータによる車両駆動の場合には、車両コントローラ１０の制御に基づいて、インバータ１８を介してバッテリ１７からモータジェネレータ１５に対して電力供給が行われ、モータによる駆動力が差動歯車装置１６に伝達される。
【００２３】
エンジン１２による車両駆動の場合（例えば、高速走行時）には、車両コントローラ１０、ＥＣＵ１１の制御に基づいて、エンジン１２が駆動され、駆動力が差動歯車装置１６に伝達される。エンジン１２による車両駆動が行われている間は、モータジェネレータ１５において発電、及び発電された電力のバッテリ１７への充電が行われる。
【００２４】
また、第１実施形態におけるエンジン停止制御システム１ａを含む車両１は、ＥＣＵ１１、エンジン１２、スタータ１２ａ、濃度センサ１３、差動歯車装置１６、及びトランスミッション１９を備え、エンジン１２とスタータ１２ａをＥＣＵ１１が制御し、車両停止時など、エンジン１２の運転が不要な場合（所定条件が成立した場合）にエンジン１２を停止し、運転が必要な場合にスタータ１２ａによってエンジン１２を再始動可能なエコラン車（エコロジーランニング車）であってもよい。
【００２５】
この場合、ＥＣＵ１１の制御に基づいて、エンジン１２が駆動され、駆動力がトランスミッション１９を介して、差動歯車装置１６に伝達される。
【００２６】
エンジン１２の燃料は、ガソリンとアルコールを含む混合燃料（ガソリン／アルコール混合燃料、アルコールを含む他の形態であってもよい）である。濃度センサ１３は、エンジン１２の燃料として使用するガソリン／アルコール混合燃料のアルコール濃度を検出するアルコール濃度センサである。
【００２７】
エンジン停止制御システム１ａは、ＥＣＵ１１、エンジン１２、及び濃度センサ１３を含み、所定条件が成立した場合に、エンジン１２を停止する指示及び停止後に再始動させる指示を行う自動停止／再始動制御を行う。モータによる車両駆動（例えば、低速走行）が行われていること、エンジン１２の冷却水温（またはエンジンオイルの温度）が所定条件判別用温度閾値よりも高いことなどが所定条件として設定される。エンジン１２の運転中に、所定条件が成立すると、エンジン１２を停止させる指示がＥＣＵ１１において行われる。ＥＣＵ１１は、エンジン１２を自動的に停止させる指示に従って実際にエンジン１２を停止させるか否かの判断を、燃料性状（濃度センサ１３により検出されたアルコール濃度）に基づいて行う（自動停止動作禁止制御）。実際にエンジン１２を停止させると判断した場合には、その後速やかにエンジン１２が停止される（停止させる指示に従う）。停止させないと判断した場合には、エンジン１２の自動的な停止を制限して、エンジン１２の停止動作を行わない（停止させる指示に従わない）。
【００２８】
車両１の運転状況に応じてエンジンの停止を自動的に行うハイブリッド車、エコラン車では、モータ駆動時や車速０の時などに、エンジン１２が頻繁に自動的に停止される。そのため、自動的に停止しないエンジンに比べて、エンジン１２が暖まりにくい状況が起こり得る。この場合、エンジンオイルに燃料（特にアルコール）が混じるオイル希釈状態を、エンジン１２を暖めることによりエンジンオイルに混じった燃料を蒸発させて解消させることが困難になる。この点を考慮して、第１実施形態では、燃料がオイル希釈状態になりやすい燃料性状である場合には、オイル希釈状態を解消させるために、エンジン１２の自動的な停止を許可せず（エンジン１２を自動停止させる指示に従って、自動停止を行わず、エンジン１２の運転状態を継続させ）、オイル希釈状態の解消を行いやすくする。
【００２９】
また、燃料性状に応じたエンジン１２の自動的な停止の制限を行わずに、燃料性状に応じた始動時のモータジェネレータ１５によるアシスト量を調整する形態では、燃料性状によっては、始動時にモータジェネレータ１５に費やすエネルギが大きくなることがある。第１実施形態では、燃料性状に応じたエンジン１２の自動的な停止の制限を行うため、始動時にモータジェネレータ１５が費やすエネルギが増大することは無い。そのため、アシスト量を調整する形態に比べて車両全体として燃費をよくすることも可能になる。
【００３０】
具体的に、第１実施形態では、エンジン１２の自動停止動作禁止制御として、アルコール濃度が低い場合には、ＥＣＵ１１はエンジン１２を自動的に停止させる指示に従って実際にエンジン１２を停止させると判断し、エンジン１２を自動的に停止させる動作を許可する自動停止許可状態（ＥＣＵ１１からのエンジン１２を停止させる動作指示に従ってエンジン１２を停止できる状態）にされる。それ以外の場合（例えばアルコール濃度が高い場合など）では、ＥＣＵ１１はエンジン１２を自動的に停止させる指示に従わずエンジン１２を停止させないと判断し、エンジン１２を自動的に停止させる動作を許可しない自動停止禁止状態（ＥＣＵ１１からのエンジン１２を停止させる動作指示に従ってエンジン１２を停止できない状態）にされる。
【００３１】
アルコール濃度が高い場合には、燃焼されないでエンジン１２内に残った燃料（特にアルコール）が、エンジンオイルと混ざりオイル希釈状態になる可能性が高い。但し、オイル希釈状態になったとしても、エンジンオイルの温度がアルコールなどの燃料が揮発する程度の高温になれば蒸発するため、オイル希釈状態は解消される。第１実施形態では、アルコール濃度が高くオイル希釈状態になる可能性が高い場合に、エンジン１２の自動停止動作を禁止して、エンジン１２の運転を継続させることにより、エンジン１２（エンジンオイル）の温度を上昇させて、オイル希釈状態を解消させることが可能になる。
【００３２】
次に、第１実施形態におけるエンジン１２の自動停止動作禁止制御の手順について、図３のフローチャートを用いて説明する。図３のフローチャートに示す自動停止動作禁止制御は、エンジン１２が運転中の一定時間ごとに割り込み動作として行われる。なお、ＥＣＵ１１は、初期状態として、自動停止禁止状態にされており、ステップＳ１３の条件を満たすなど一定条件下で、自動停止禁止状態が解除されて、自動停止許可状態にされる。エンジン１２の運転が行われると、ステップＳ１１で、ＥＣＵ１１によって、濃度センサ１３からのアルコール濃度に関する情報に基づいて、アルコール濃度が算出される。ステップＳ１２で、所定条件が成立して、ＥＣＵ１１がエンジン１２の運転を自動的に停止させる指示を行ったか否かが判断される。行った場合には、ステップＳ１３で、算出されたアルコール濃度が低いか否か（濃度閾値よりも低いか否か）が判断される。アルコール濃度が低い場合には、ステップＳ１４で、ＥＣＵ１１が自動停止許可状態にされ、その後エンジン１２が停止される。ステップＳ１２において、所定条件が成立せずエンジン１２を停止する指示が行わなかった場合や、ステップＳ１３において、アルコール濃度が高いと判断された場合には、ＥＣＵ１１の自動停止禁止状態が継続される。そのため、自動停止禁止状態においては、ＥＣＵ１１からエンジン１２を自動的に停止させる指示があったとしても、エンジン１２は停止されず、運転が継続される。
【００３３】
次に、第２実施形態について、図４を参照して説明する。第１実施形態では、エンジン１２を自動的に停止させる指示に従って実際にエンジン１２を停止させるか否かの判断は、エンジン１２に供給する燃料におけるアルコール濃度に基づいて行われる形態を説明したが、第２実施形態では、アルコール濃度とエンジン１２の冷却水温（またはエンジンオイルの温度）とに基づいて行われる。第２実施形態におけるエンジン停止制御システム１ａは、ＥＣＵ１１、エンジン１２、濃度センサ１３、及び水温センサ１４を含む。
【００３４】
水温センサ１４は、エンジン１２の冷却水温を検出する温度センサである。但し、エンジン１２の温度を検出するセンサとして、エンジンオイルの温度を検出する油温センサであってもよい。
【００３５】
第２実施形態における自動停止動作禁止制御について具体的に説明する。濃度センサ１３からの情報に基づくアルコール濃度に基づいて変動する温度閾値ＴＨＷに対して、水温センサ１４からの情報に基づく冷却水温が高い場合（温度閾値以上である場合）には、自動停止許可状態にされる。
【００３６】
それ以外の場合（例えば、濃度センサ１３からの情報に基づくアルコール濃度に基づいて変動する温度閾値ＴＨＷに対して、水温センサ１４からの情報に基づく冷却水温が低い場合など）では、自動停止禁止状態にされる。
【００３７】
温度閾値ＴＨＷは、アルコール濃度が高い場合に高い第１温度閾値ＴＨ１が設定され、アルコール濃度が低い場合に低い第２温度閾値ＴＨＢ（＜ＴＨ１）が設定される。アルコール濃度が高い場合には、燃焼されずにエンジンオイルと混ざりオイル希釈を発生させるアルコールが多い。このため、エンジン１２の自動停止を行うか否かを判断するための温度閾値を高く設定し、エンジン１２の運転を継続させて、エンジン１２の温度をアルコール濃度に応じてより高い状態に保ち、アルコールを蒸発させてオイル希釈状態を解消させる目的である。
【００３８】
第２温度閾値ＴＨＢの値は、アルコールが含まれない純ガソリン燃料が使用された場合に、エンジンオイルのオイル希釈状態を解消させる状態に対応した水温が設定される。
【００３９】
これにより、アルコール濃度とエンジン１２の温度状態を考慮した、エンジン１２の自動停止動作禁止制御が可能になる。なお、所定条件の成立判別においても、エンジン１２の温度が検出され所定条件判別用温度閾値を超えたか否かが判断されるが、所定条件に含まれる所定条件判別用温度閾値は、アルコール濃度によって変動されない固定値が設定される。
【００４０】
次に、第３実施形態について説明する。第２実施形態では、エンジン１２を自動的に停止させる指示に従って実際にエンジン１２を停止させるか否かの判断は、アルコール濃度、エンジン１２の温度状態（冷却水温やエンジンオイル油温）に基づいて行われる形態を説明したが、第３実施形態では、アルコール濃度、エンジン１２の温度状態（冷却水温やエンジンオイル油温）、及びエンジン１２を自動的に停止させる指示に従って実際にエンジン１２を停止させるか否かの判断に関する過去の結果（履歴）に基づいて行われる。以下、第２実施形態と異なる点を中心に説明する。
【００４１】
ＥＣＵ１１は、エンジン１２を自動的に停止させる指示に従って実際にエンジン１２を停止させるか否かの判断の過去の結果として、温度閾値ＴＨＷが第１温度閾値ＴＨ１に設定されており、且つ冷却水温が第１温度閾値ＴＨ１と第２温度閾値ＴＨＢとの間にあり、エンジン１２を自動的に停止させる指示に従わずエンジン１２を停止させないと判断した１トリップ（エンジン１２が手動で始動された時点から手動で停止される時点までの間）内での回数（禁止判断回数）をカウントする。禁止判断回数は、エンジン１２が手動で停止されるたびにリセットされる。
【００４２】
温度閾値ＴＨＷは、アルコール濃度が高く且つ禁止判断回数が回数閾値よりも少ない場合に高い第１温度閾値ＴＨ１が設定され、それ以外の場合（アルコール濃度が低い場合、及び禁止判断回数が回数閾値よりも多い場合の少なくとも一方の場合）に低い第２温度閾値ＴＨＢ（＜ＴＨ１）が設定される。
【００４３】
濃度センサ１３からの情報に基づくアルコール濃度と禁止判断回数とに基づいて変動する温度閾値ＴＨＷに対して、水温センサ１４からの情報に基づく冷却水温が高い場合（温度閾値以上である場合）には、自動停止許可状態にされる。
【００４４】
それ以外の場合（例えば、濃度センサ１３からの情報に基づくアルコール濃度と禁止判断回数とに基づいて変動する温度閾値ＴＨＷに対して、水温センサ１４からの情報に基づく冷却水温が低い場合など）では、自動停止禁止状態にされる。
【００４５】
禁止判断回数が多い場合は、エンジン１２が継続して運転されている時間が長く、エンジン１２が暖められて、蒸発によりオイル希釈状態が解消されている可能性が高いため、この場合は温度閾値ＴＨＷを下げ、自動停止許可状態にしやすくするものである。このため、車両の駆動には使われないが、オイルの希釈状態解消のために継続して運転されることによるエンジン１２の燃費悪化を防ぐことが可能になる。
【００４６】
次に、第３実施形態におけるエンジン１２の自動停止動作禁止制御の手順について、図５のフローチャートを用いて説明する。図５のフローチャートに示す自動停止動作禁止制御は、エンジン１２が運転中の一定時間ごとに割り込み動作として行われる。なお、ＥＣＵ１１は、初期状態として、自動停止禁止状態にされており、ステップＳ３６の条件を満たすなど一定条件下で、禁止状態が解除されて、自動停止許可状態にされる。エンジン１２の運転が行われると、ステップＳ３１で、ＥＣＵ１１によって、濃度センサ１３からのアルコール濃度に関する情報に基づいて、アルコール濃度が算出される。ステップＳ３２で、所定条件が成立して、ＥＣＵ１１がエンジン１２の運転を自動的に停止させる指示を行ったか否かが判断される。行った場合には、ステップＳ３３で、算出されたアルコール濃度が高いか否か（濃度閾値以上か否か）、及び禁止判断回数が回数閾値よりも少ないか否かが判断される。
【００４７】
算出されたアルコール濃度が濃度閾値以上であり、且つ禁止判断回数が回数閾値よりも少ない場合は、ステップＳ３４で、温度閾値ＴＨＷの値が第１温度閾値ＴＨ１に設定される。それ以外の場合、すなわち、アルコール濃度が濃度閾値よりも低い場合、及び禁止判断回数が回数閾値以上である場合の少なくとも一方の場合には、ステップＳ３５で、温度閾値ＴＨＷの値が第２温度閾値ＴＨＢに設定される。
【００４８】
ステップＳ３６で、水温センサ１４からの冷却水温に関する情報に基づいて算出された冷却水温が、温度閾値ＴＨＷ以上であるか否かが判断される。温度閾値ＴＨＷ以上である場合は、ステップＳ３７で、ＥＣＵ１１が自動停止許可状態にされ、その後エンジン１２が停止される。温度閾値ＴＨＷ以上でない場合は、ステップＳ３８に進められる。
【００４９】
ステップＳ３８で、算出された冷却水温が、第２温度閾値ＴＨＢ以上であるか否かが判断される。第２温度閾値ＴＨＢ以上である場合は、ステップＳ３９で、禁止判断回数の値がカウントアップされる。また、自動停止禁止状態が継続される。
【００５０】
ステップＳ３２において、停止動作指示が行われなかった場合や、ステップＳ３８において、算出された冷却水温が、第２温度閾値ＴＨＢより低い場合には、ＥＣＵ１１の自動停止禁止状態が継続される。そのため、自動停止禁止状態においては、ＥＣＵ１１からエンジン１２を自動的に停止させる動作指示があったとしても、エンジン１２の停止動作は行われず、運転が継続される。
【００５１】
次に、第４実施形態について説明する。第１実施形態では、エンジン１２を自動的に停止させる指示に従って実際にエンジン１２を停止させるか否かの判断は、アルコール濃度に基づいて行われる形態を説明したが、第４実施形態では、アルコール濃度、及びエンジン１２の稼働状態（回転数、車速、走行距離、運転時間など）に基づいて行われる。以下、第１実施形態と異なる点を中心に説明する。
【００５２】
第４実施形態におけるエンジン停止制御システム１ａは、ＥＣＵ１１、エンジン１２、濃度センサ１３、回転センサ２１及び車速センサ２２を含む（図６参照）。回転センサ２１は、クランクポジションセンサなどエンジン１２の回転数を検出する。車速センサ２２は、車速に関する信号を検出する。
【００５３】
ＥＣＵ１１は、エンジン１２の回転数、及び車両１の車速に基づいて、運転条件カウンタの値をカウントする。運転条件カウンタは、エンジンオイルの油温が上がると推測される状態でカウントアップされ、下がると推測される状態でカウントダウンされる。具体的には、運転条件カウンタの値は、エンジン１２の回転数が回転数閾値以上である場合にカウントアップされ、車速が０の状態、すなわち車両１が停止している状態が所定時間経過すると、カウントダウンされる。運転条件カウンタの値は、エンジン１２が手動で停止されるたびにリセットされる。車速が０の状態の経過時間（運転時間）は、ＥＣＵ１１（または他の制御装置）によって、算出される。
【００５４】
ＥＣＵ１１は、アルコール濃度、運転条件カウンタの値、及び前にエンジン１２を自動的に停止させる指示に従わずエンジン１２を停止させないと判断した時点からの走行距離を示す第１走行距離とに基づいて、エンジン１２の稼働状態が活発であるか否か、すなわちエンジンオイルの油温を高めてエンジンオイルに混じった燃料を蒸発させられる状態にあるか否かを判断する。
【００５５】
具体的には、濃度センサ１３からの情報に基づくアルコール濃度が濃度閾値よりも低い場合、第１走行距離が距離閾値よりも短い場合、及び運転条件カウンタの値がカウンタ閾値以上である場合のすくなくとも１つを満たす場合には、自動停止許可状態にされる。
【００５６】
それ以外の場合（例えば、濃度センサ１３からの情報に基づくアルコール濃度が濃度閾値以上であり、且つ第１走行距離が距離閾値以上であり、且つ運転条件カウンタの値がカウンタ閾値よりも低い場合など）では、自動停止禁止状態にされる。
【００５７】
なお、距離閾値の値は、通常の走行距離を示す第２走行距離と、車両１を使って走行した回数を示すトリップ数とに基づいて設定される。具体的には、第２走行距離をトリップ数で割った１回の走行における平均走行距離が、平均距離閾値以上である場合には、長い第１距離閾値ＬＲ１（例えば２０００ｋｍ）を距離閾値として設定し、平均距離閾値よりも短い場合には、短い第２距離閾値ＬＲ２（例えば５００ｋｍ、第２距離閾値ＬＲ２＜第１距離閾値ＬＲ１）を距離閾値として設定する。１回（１トリップ）の走行距離が長い場合には、エンジンオイルの油温が上がってオイル希釈状態の解消がされやすいため、頻繁に自動停止動作を行ってもオイル希釈の問題が生じにくいことを考慮したものである。但し、距離閾値の値は、平均走行距離に関係なく固定値（例えば１０００ｋｍ）としてもよい。
【００５８】
第１、第２走行距離は、トリップメータ（不図示）やＥＣＵ１１によって算出される。第１、第２走行距離の値は、エンジン１２を停止してもリセットされない。
【００５９】
これにより、車両１の運転状況（回転数、車速、及びエンジン１２を自動的に停止させる指示に従わずエンジン１２を停止させないと判断した後の走行距離）によって、オイル希釈状態の解消がされやすい状態にあるか否かを判断し、オイル希釈状態の解消を行う必要がない場合には、エンジン１２の自動停止禁止状態を解除してエンジン１２を停止させ、燃料消費を抑えて燃費悪化を抑制することが可能になる。
【００６０】
次に、第４実施形態におけるエンジン１２の自動停止動作禁止制御の手順について、図７のフローチャートを用いて説明する。図７のフローチャートに示す自動停止動作禁止制御は、エンジン１２が運転中の一定時間ごとに行われる。なお、ＥＣＵ１１は、初期状態として、自動停止禁止状態にされており、ステップＳ５７の条件を満たすなど一定条件下で、禁止状態が解除されて、自動停止許可状態にされる。エンジン１２の運転が行われると、ステップＳ５１で、ＥＣＵ１１によって、濃度センサ１３からのアルコール濃度に関する情報に基づいて、アルコール濃度が算出される。
【００６１】
ステップＳ５２で、エンジン１２の回転数が回転数閾値以上であるか否かが判断される。エンジン１２の回転数が回転数閾値以上である場合は、ステップＳ５３で、運転条件カウンタの値がカウントアップされ、ステップＳ５６に進められる。エンジン１２の回転数が回転数閾値以上でない場合は、ステップＳ５４で、車速が０の状態、すなわち車両１が停止している状態が所定時間経過したか否かが判断される。経過した場合はステップＳ５５で、運転条件カウンタの値がカウントダウンされ、ステップＳ５６に進められる。経過していない場合はステップＳ５６に進められる。
【００６２】
ステップＳ５６で、所定条件が成立して、ＥＣＵ１１がエンジン１２の運転を自動的に停止させる指示を行ったか否かが判断される。行った場合には、ステップＳ５７で、算出されたアルコール濃度が低いか否か（濃度閾値よりも低いか否か）が判断される。算出されたアルコール濃度が低い場合は、ステップＳ５８で、ＥＣＵ１１が自動停止許可状態にされ、その後エンジン１２が停止される。算出されたアルコール濃度が高い（濃度閾値以上である）場合は、ステップＳ５９に進められる。
【００６３】
ステップＳ５９で、第１走行距離が距離閾値以上に長いか否かが判断される。距離閾値の設定は、図８のフローチャートを使って後述する。第１走行距離が距離閾値以上に長い場合は、ステップＳ６０で、運転条件カウンタの値がカウンタ閾値よりも小さいか否かが判断される。第１走行距離が距離閾値よりも短い場合や運転条件カウンタの値がカウンタ閾値以上である場合は、エンジンオイルの油温が高い状態または高くなる状態でエンジンオイルに混じった燃料が蒸発する可能性が高いと判断されて、ステップＳ５８に進められる。
【００６４】
運転条件カウンタの値がカウンタ閾値よりも小さい場合は、ステップＳ６１で、第１走行距離の値がリセットされる。なお、第１走行距離の値は、ＥＣＵ１１のＳＲＡＭに記録される。そのため、エンジン１２が停止された状態であっても消去されない。
【００６５】
ステップＳ５６において、停止動作指示が行われなかった場合や、ステップＳ６１において、第１走行距離の値がリセットされた場合には、ＥＣＵ１１の自動停止禁止状態が継続される。そのため、自動停止禁止状態においては、ＥＣＵ１１からエンジン１２を自動的に停止させる動作指示があったとしても、エンジン１２の停止動作は行われず、運転が継続される。
【００６６】
次に、ステップＳ５９の判断で使用される距離閾値を設定する手順を図８のフローチャートを用いて説明する。図８のフローチャートに示す距離閾値設定演算は、エンジン１２が運転中の一定時間ごとに行われる。但し、この演算により求められる距離閾値の値は、１回のトリップが終了する時点まで更新されないため、１回のトリップにおいて１回だけ（例えばエンジン始動時）行うとしてもよい。ステップＳ７１で、車両１の走行距離に対応して第２走行距離が積算され、ステップＳ７２で、車両１の走行回数（トリップ数）が積算される。なお、第２走行距離、及びトリップ数の値は、ＥＣＵ１１の不揮発ＲＡＭに記録される。そのため、エンジン１２が停止された状態であっても消去されない。
【００６７】
ステップＳ７３で、第２走行距離をトリップ数で割ることにより、１回の走行あたりの（１トリップあたりの）平均走行距離が算出される。ステップＳ７４で、算出された平均走行距離が、平均距離閾値以上であるか否かが判断される。
【００６８】
平均走行距離が、平均距離閾値以上である場合には、ステップＳ７５で、長い第１距離閾値ＬＲ１が距離閾値として設定され、平均距離閾値よりも短い場合には、ステップＳ７６で、短い第２距離閾値ＬＲ２（＜第１距離閾値ＬＲ１）が距離閾値として設定される。
【００６９】
次に、第５実施形態について説明する。第１実施形態では、エンジン１２を自動的に停止させる指示に従って実際にエンジン１２を停止させるか否かの判断は、アルコール濃度に基づいて行われる形態を説明したが、第５実施形態では、アルコール濃度と、エンジンオイルが交換されてからの走行距離（第３走行距離）とに基づいて行われる。以下、第１実施形態と異なる点を中心に説明する。第５実施形態におけるエンジン停止制御システム１ａは、ＥＣＵ１１、エンジン１２、濃度センサ１３、及び入力装置２３を含む（図９参照）。
【００７０】
入力装置２３は、エンジン１２のエンジンオイルが交換されたことに関する情報を入力する装置で、オイル交換が行われるたびに使用者により入力操作が行われる。ＥＣＵ１１は、オイル交換が行われてからの走行距離（第３走行距離）を積算する。従って、第３走行距離の値は、オイル交換が行われたことに関する情報が入力装置２３を介して入力された時点でリセットされる。
【００７１】
第５実施形態における自動停止動作禁止制御について具体的に説明する。濃度センサ１３からの情報に基づくアルコール濃度が低い場合（濃度閾値よりも低い場合）、及び第３走行距離が短い場合（オイル交換後距離閾値よりも短い場合）の少なくとも一方を満たす場合には、自動停止許可状態にされる。なお、第３走行距離の値は、ＥＣＵ１１のＳＲＡＭに記録される。そのため、エンジン１２が停止された状態であっても消去されない。
【００７２】
それ以外の場合（例えば、濃度センサ１３からの情報に基づくアルコール濃度が高く、且つ第３走行距離が長い場合など）では、自動停止禁止状態にされる。
【００７３】
オイル交換がされてからの第３走行距離が短い場合、新たにエンジン１２に加えられたエンジンオイルに対して燃料が混じるオイル希釈があまり生じていないため、この間において、エンジン１２の停止を禁止する必要がないためである。
【００７４】
これにより、車両１の運転状況（オイル交換後の走行距離）によって、オイル希釈が生じている状態にあるか否かを判断し、あまりオイル希釈が生じている状態にない場合には、エンジン１２の自動停止禁止状態を解除してエンジン１２を停止させ、燃料消費を抑えて燃費悪化を抑制することが可能になる。
【００７５】
なお、第２〜第５実施形態では、アルコール濃度に加え、冷却水温（またはエンジンオイル油温）と、禁止判断回数と、車両１の運転状況とのいずれかとに基づくＥＣＵ１１の自動停止動作禁止制御の形態を説明したが、これらの自動停止動作禁止制御における判断要素は第１〜第５実施形態における組み合わせに限られない。
【００７６】
また、第１〜第５実施形態においては、燃料性状の１つとして、アルコール濃度の高さによってオイル希釈状態の起こり易さを判断して、エンジン１２の自動停止動作禁止制御を行う形態を説明したが、オクタン価など他の燃料性状に応じて自動停止動作禁止制御を行っても良い。
【００７７】
また、所定条件判別用温度閾値などの所定条件は、アルコール濃度などの燃料性状によって変動されない固定値が設定される形態を説明したが、アルコール濃度などの燃料性状に応じて変動する（所定条件判別用温度閾値の場合は、高く設定する）形態であってもよい。
【００７８】
また、所定条件成立後に、燃料性状などに基づいて、実際にエンジン１２を自動的に停止させるか否かの判断を行う形態を説明したが、かかる判断を所定条件の成立判断の中で行っても良い。
【図面の簡単な説明】
【００７９】
【図１】ハイブリッド車を使った第１実施形態における車両の構成図である。
【図２】エコラン車を使った第１実施形態における車両の構成図である。
【図３】第１実施形態におけるエンジンの自動停止動作禁止制御の手順を示すフローチャートである。
【図４】ハイブリッド車を使った第２実施形態における車両の構成図である。
【図５】第３実施形態におけるエンジンの自動停止動作禁止制御の手順を示すフローチャートである。
【図６】ハイブリッド車を使った第４実施形態における車両の構成図である。
【図７】第４実施形態におけるエンジンの自動停止動作禁止制御の手順を示すフローチャートである。
【図８】第４実施形態における距離閾値を設定する手順を示すフローチャートである。
【図９】ハイブリッド車を使った第５実施形態における車両の構成図である。
【符号の説明】
【００８０】
１  車両
１ａ  エンジン停止制御システム
１０  車両コントローラ
１１  ＥＣＵ
１２  エンジン
１２ａ  スタータ
１３  濃度センサ
１４  水温センサ
１５  モータジェネレータ
１６  差動歯車装置
１７  バッテリ
１８  インバータ
１９  トランスミッション
２１  回転センサ
２２  車速センサ
２３  入力装置
【図１】
2008267227.tif 000003
【図２】
2008267227.tif 000004
【図３】
2008267227.tif 000005
【図４】
2008267227.tif 000006
【図５】
2008267227.tif 000007
【図６】
2008267227.tif 000008
【図７】
2008267227.tif 000009
【図８】
2008267227.tif 000010
【図９】
2008267227.tif 000011